(57)【要約】【課題】柔軟なインソールの挿入を容易かつ的確に行うことの出来る補助用具の提供。【解決手段】先端部に一定の幅と深さの切り欠き７、７を有し、挟み込むインソールとほぼ同形である二片を横側部分で一体的に連結し、挟み込むインソールの曲げ強度以上の曲げ強度を有し、連結部を折り線２として開閉可能な二つ折り状に形成された、柔軟性の高いインソールを挿入装着するためのインソール用台紙１。【選択図】　　　　図１
2004130035.tif 000002
【特許請求の範囲】
【請求項１】
挟み込むインソールの股を形成する切り欠きに対応する切り欠きであって一定の幅と挟み込むインソールの切り欠きの深さよりも深い切り欠きを有し、挟み込むインソールとほぼ同形である二片を対称状に横側部分で連結して一体に形成され、挟み込むインソールの曲げ強度以上の曲げ強度を有する素材で作られており、連結部を折り線として開閉可能な二つ折り状に形成された、柔軟性の高いインソールを挿入装着するためのインソール用台紙。
【請求項２】
インソール用台紙が一枚の素材により形成されて二つ折りされている請求項１のインソール用台紙。
【請求項３】
インソール用台紙の後部に挟み込むインソールと重なり合わないつまみ部を設けた請求項１のインソール用台紙。
【発明の詳細な説明】
【０００１】
【発明の属する技術分野】
本発明は、インソール用台紙に関し、より詳しくは柔軟なインソールを挿入装着するためのインソール用台紙に関する。
【０００２】
【従来の技術】
インソールとは一般的に靴等の履物の中底か、フィット性、クッション性、保温性、足の安定性などを得る目的で中底の上に着脱自在に敷込む別部材である所謂中敷きのことを言い、特に後者を意味することが多い。
しかしながら、新製品の開発、技術革新、新しい素材の開発などにより靴等の履物の種類、形態などは非常に多様になり、それに伴いあるいはそれとは独立にやはり新しい素材の開発などにより従来には無かったようなインソールが提供されるようになってきている。（従って本明細書においはインソールとは必ずしも靴に限らず、靴及び靴以外の袋状履物、その他袋状の手足等への被包装着物すべてに対して挿入するものを総称する。）
【０００３】
例えば最近では遠赤外線の作用を利用して手や足先の保温を図ることが試みられ、そのために新しい素材によるインソールであって単に靴のみならず例えば足袋などに適用するためにインソールが開発され提供されている。周知のように、足袋は足を被包する代表的な和装履物であるが、足袋は皮も底も足にぴったりと馴染むことが必要でありどちらも極めて柔軟である。このような足袋に対するインソールは底と同等かそれ以上に柔軟であることが必要になる。そうでないとインソールを装着することによって足袋の機能性が著しく損なわれてしまうので好ましくない。
【０００４】
ところが底と同等あるいはそれ以上に柔軟なインソールをやはり柔軟な足袋の中に挿入装着することは双方が柔軟であるだけに不可能ではないにしても日常的に行う作業としては全く実用的ではない。即ちそのままではインソールは実用に供されることのない無用の物になってしまう。
【０００５】
【発明が解決しようとする課題】
本発明はこのような非常に柔軟性に富むインソールを装着相手に容易に装着することを可能にする用具を提供するものである。
【０００６】
【課題を解決するための手段】
本発明は柔軟性の高いインソールを挿入装着するためのインソール用台紙を、挟み込むインソールの股を形成する切り欠きに対応する切り欠きであって一定の幅と挟み込むインソールの切り欠きの深さよりも深い切り欠きを有し、挟み込むインソールとほぼ同形である二片を対称状に横側部分で連結して一体に形成され、挟み込むインソールの曲げ強度以上の曲げ強度を有する素材で作られており、連結部を折り線として開閉可能な二つ折り状に形成した。
【０００７】
インソール用台紙は一枚の素材により形成されることがことが製造の点からも使用の点からも好ましい。
また、インソール用台紙の後部に、挟み込むインソールと重なり合わないつまみ部を設けると好ましい。
この台紙は一枚構成であることがいろいろな意味で利便性が高いが、二つの半片を折れ線の位置で適当な手段で一体的、折れ曲がり可能に連結してもよいことは勿論ある。
【０００８】
インソール用台紙の材質はインソールを挟み込んで被装着物に挿入する時に全体が容易にかつ腰のない状態にくにゃくにゃ状に撓み折れ曲がらない程度の曲げ強度を有するものであれば特に制限はない。例えばカード紙、コートボード紙などは好適な素材である。また薄板状プラスチックも好適に使用できる。
また適用するインソールの被装着物は例えば和装足袋は最も効果的に使用し得るものであるが、その他のものであっても股あり靴下、股なし靴下、地下足袋、二つ指手袋など、柔軟なインソールを挿入装着する場合にはどの様なものであっても適用出来る。
【０００９】
【実施例】
図を参照して本発明を詳細に説明する。
図１は本発明による和装足袋用のインソール用台紙の開いた状態の平面図、図２はセットとしてその台紙に挟み込むインソールの平面図である。
インソール用台紙１は片側表面に２０μのＯＰＰフィルムをラミネートした２７０ｇ／ｍ２のカード紙を打ち抜いて作った。このラミネートはなくてもよい。破線は台紙１の折り線であり、台紙１はこの破線で左右対称状に形成されており、二つ折りして使用する。
【００１０】
図２に示すインソール３は備長炭シート紙を基材とするシート状の柔軟性の高い和装足袋用のインソールである。４は足袋のおやに入る部分、５は足袋のよつに入る部分である。足袋のおやとよつの間は切り込まれて股状になっているのでインソールもそれに合わせて切り欠き６を設けて二股状に形成してある。
インソール用台紙は一箇のインソール用台紙を裏返すことによって右足用にも左足用にも使用できる。またインソールは表裏の区別はないので裏返すことによって左右どちらにも使い分けることが出来る。
【００１１】
インソール用台紙１の４１はインソールのおやに入る部分４をカバーする部分、５１はインソールのよつに入る部分５をカバーする部分である。両部分の間はインソール３の切り欠き６に対応させて同様な切り欠き７、７が設けてある。この切り欠き７、７は幅はインソール３の切り欠き６の幅と同じであるが、深さはインソール３の切り欠き６よりも手の親指の腹に相当する範囲だけ深く形成してある。この切り欠きは必要以上に深くすると部分４、５が弱くなって挿入が旨く行えない恐れがあるので上記の程度以上にしないことが好ましい。
【００１２】
インソール３は勿論インソール用台紙１も使用する足袋の底よりも幾分小さめに作られている。
インソール用台紙１の後部に設けた突起８は使用時にインソール用台紙を引き出すためのつまみである。このつまみはインソール用台紙の後部をインソールの後部より長く形成してインソール用台紙がインソールをカバーしない部分を形成することにより省略することが出来る。
【００１３】
図３はインソール用台紙１にインソール３を挟み込んだ状態の平面図である。上記したようにインソール用台紙の切り欠き７はインソールの切り欠き６よりも深く形成してあるのでその差分、図３において斜線で表示した部分９はインソール３が表裏ともインソール用台紙１によりカバーされないで露出する。
本発明のインソール用台紙の使用方法を次に説明する。
図３に示す様にインソール用台紙１を二つ折りにしてインソール３を間に挟み込んだ状態で挿入する足袋の中にインソール用台紙ごと先端いっぱいまで挿入する。先端いっぱいまで挿入したところで足袋の皮と底の外側から足袋のおやとよつの間の股のところを例えば使用者の手の親指と人指し指の腹で摘んで押さえることによってインソール３のインソール用台紙１から露出している部分９を押さえる。
【００１４】
このように押さえた状態でインソール用台紙１の後部のつまみ８を後方に引っ張ることによってインソール用台紙１のみを足袋から引き抜く。インソール３は手の親指と人指し指で押さえられているので足袋の中に挿入されたままの状態で残る。インソール用台紙１を引き抜き終わればインソール３は足袋の中に的確に装着されることになる。
インソール３を足袋から取り出す時には単にインソール３の後部を引っ張って抜き出せばよい。
【００１５】
【発明の効果】
本発明のインソール用台紙は上記の様な構成であるので、インソールとセットとして使用することにより、どの様な柔軟なインソールであっても挿入する対象がどの様な柔軟なものであっても、非常に容易に且つ的確な挿入装着を可能にする。
また本発明のインソール用台紙はインソール自体が柔軟であり装着の対象がやはり柔軟である場合に最も効果的に機能を発揮するものであるが、挿入の対象がそれほど柔軟でなくてもインソールが柔軟である場合には図３に示す露出部９を摘むことが出来るのであれば充分有効に使用できる。
【図面の簡単な説明】
【図１】本発明のインソール用台紙の平面図である。
【図２】図１のインソール用台紙とセットとして用いるインソールの平面図である。
【図３】図１のインソール用台紙に図２のインソールを挟み込んだ状態を示す図である。
【符号の説明】
１　インソール用台紙
２　折り線
３　インソール
６　切り欠き
７　切り欠き
９　インソールが露出している部分
【図１】
2004130035.tif 000003
【図２】
2004130035.tif 000004
【図３】
2004130035.tif 000005